(57)【要約】【課題】  パチンコ遊技機において、遊技球を発射する発射ユニットを前面枠にビス止めする際に、作業ミスでビス孔破損し、前面枠が使用不能となるような製造上のロスを防止する。【解決手段】  パチンコ遊技機は、前面枠３の下部に設けられたユニット取付部３２に対して前面側から前記発射ユニット７の取付ベース７８を取り付けるものである。ユニット取付部３２の背面側に着脱自在に取り付けられ、ビス１１が螺合する取付孔を有する取付部材を備えている。前面枠３のユニット取付部３２を間に挟んだ状態で、発射ユニット７の取付ベース７８と取付部材とをビス１１で締結する。これにより、ビス１１を螺合する際に取付孔を破損しても、取付部材を交換すれば、前面枠３はそのまま利用可能となり、製造上のロスを最小限度にできる。【選択図】図５
2005261640.tif 000002
【特許請求の範囲】
【請求項１】
機枠の一側に蝶着された前面枠と、発射杵を駆動するための駆動源及び発射レールを取付ベースに取り付けて形成された発射ユニットと、を備え、
前記前面枠の下部に設けられたユニット取付部に対して前面側から前記発射ユニットの取付ベースを取り付けて構成された遊技機において、
前記ユニット取付部の背面側に着脱自在に取り付けられる取付部材を備え、
前記取付部材は、
前記ユニット取付部に対して係止される係止部と、少なくとも前面側を開口する取付孔が形成された筒状部と、を備え、該筒状部の前部に、前記ユニット取付部に対して回転不能に係合する鍔状の非回転係合部を形成し、
前記ユニット取付部は、
前記取付部材の係止部が係止する被係止部と、前記非回転係合部が係合する回転止め部と、を備え、該回転止め部に、前記取付孔に対応する貫通孔を形成し、
前記発射ユニットの取付ベースに、前記ユニット取付部の貫通孔に対応した貫通穴を形成し、
前記前面枠のユニット取付部を間に挟んだ状態で、前記発射ユニットの取付ベースと前記取付部材とを前記取付孔に螺合する螺合部材で締結することを特徴とする遊技機。
【請求項２】
前記取付部材の係止部は、
前記筒状部の後端部から側方に突出する突出片と、該突出片の先端から折り返して筒状部の前側に向かって延出する折返片と、を備え、
該折返片の先端部の外側に前記ユニット取付部の被係止部と係合する係合片を形成し、
前記筒状部と折返片との間に空部を形成することを特徴とする請求項１に記載の遊技機。
【請求項３】
前記ユニット取付部の被係止部の背面側には、前記取付部材の折返片の外側に沿って保護壁を立設したことを特徴とする請求項２に記載の遊技機。
【発明の詳細な説明】
【技術分野】
【０００１】
本発明は、遊技領域を備えた遊技盤が固定される前面枠の下部に遊技球を発射する発射ユニットを取り付けた遊技機に関する。
【背景技術】
【０００２】
従来より、パチンコ遊技機等の遊技機においては、遊技領域が形成された遊技盤を収納可能な前面枠が設けられ、該前面枠の下部に遊技領域に遊技球を発射するための発射杵、発射杵の駆動源、発射杵に弾かれた遊技球を遊技領域側の遊技球導入部に案内する発射レール等が設けられている。
そして、発射杆、その駆動源、発射レール等の遊技球の発射に係わる部材や装置は、遊技球を正確な方向に確実に発射するために、それぞれ前面枠に正確な配置で取り付けられる必要があり、高い取り付け精度が要求される。
そこで、発射に係わる部材，装置等を合成樹脂製の取付ベースに正確な配置で取り付けて発射ユニットとし、発射ユニットの取付ベースを合成樹脂製の前面枠に取り付けるようにすることで、パチンコ遊技機等の遊技機の組み立て作業の合理化が図られている（例えば、特許文献１参照）。
【特許文献１】特開平８−１９１９２４号公報（第４−６頁、図２）
【発明の開示】
【発明が解決しようとする課題】
【０００３】
ところで、発射ユニットは、駆動源等を有することから比較的重量が大きく、かつ、短時間で繰り返し動作する駆動源や、発射杵等の可動部を有するので、発射ユニットが取り付けられる前面枠に対して、自身の重量に基づく力と駆動源の作動及び可動部の可動に基づく力とが作用することから、前面枠に強固に固定する必要がある。
従って、発射ユニットは、複数のビスにより強固に前面枠に締結されている。
【０００４】
しかし、前面枠への発射ユニットの取付時に、前面枠のビス孔に対してビスを斜めに挿入して螺合するといった作業ミスや、ビスの締めすぎといった作業ミスが発生すると、合成樹脂製の前面枠のビス孔が破損してビス孔としての機能を失い、発射ユニットが取り付けできない状態もしくは十分な取付強度が得られない状態となる。このような場合には、破損したビス孔のためだけに前面枠が使用不能となり、この前面枠を廃棄しなければならず、製造上のロスが多大となる。
また、発射ユニットの故障等の際に、発射ユニットを取り外しての修理や、発射ユニットの交換を行うような場合にも、発射ユニットをビス止めする際にビス孔を破損する可能性があり、前面枠の交換が必要となったり、遊技機が使用不能となったりする可能性がある。また、上述のような力がビス止め部分に集中する可能性があるので、前面枠、発射ユニットの取付ベース等を合成樹脂製とした場合に、ビス止め部分に十分な強度が要求されることになる。
【０００５】
本発明の課題は、前面枠が使用不能となるような製造上のロスを防止するとともに、前面枠と発射ユニットとの取付部分を強固な構造とすることである。
【課題を解決するための手段】
【０００６】
上記課題を解決するため請求項１に記載の発明は、機枠の一側に蝶着された前面枠と、発射杵を駆動するための駆動源及び発射レールを取付ベースに取り付けて形成された発射ユニットと、を備え、
前記前面枠の下部に設けられたユニット取付部に対して前面側から前記発射ユニットの取付ベースを取り付けて構成された遊技機において、
前記ユニット取付部の背面側に着脱自在に取り付けられる取付部材を備え、
前記取付部材は、
前記ユニット取付部に対して係止される係止部と、少なくとも前面側を開口する取付孔が形成された筒状部と、を備え、該筒状部の前部に、前記ユニット取付部に対して回転不能に係合する鍔状の非回転係合部を形成し、
前記ユニット取付部は、
前記取付部材の係止部が係止する被係止部と、前記非回転係合部が係合する回転止め部と、を備え、該回転止め部に、前記取付孔に対応する貫通孔を形成し、
前記発射ユニットの取付ベースに、前記ユニット取付部の貫通孔に対応した貫通穴を形成し、
前記前面枠のユニット取付部を間に挟んだ状態で、前記発射ユニットの取付ベースと前記取付部材とを前記取付孔に螺合する螺合部材で締結することを特徴としている。
【０００７】
ここで、遊技機とは、例えば、各種パチンコ遊技機、アレンジボール遊技機、雀球遊技機等の弾球遊技機であり、遊技盤を収納する前面枠の下部に、遊技球を発射するための発射ユニットを有するものであれば良い。
また、螺合部材とは、例えば、ビス等の雄ねじを備えた締結用の部材であるが、基本的には、タッピングビスとして、取付孔に螺合した際に、取付孔内面にねじ溝を形成（ねじ立て）しながら取付孔に螺合するものである。従って、螺合部材をタッピングビスとすれば、未使用時には、取付部材の取付孔内面がねじ立てされていない状態となっている。
【０００８】
請求項１に記載の発明によれば、ユニット取付部の背面側に着脱自在に取り付けられ、かつ、前面枠に発射ユニットの取付ベースを締結するための螺合部材が螺合する取付孔を有する取付部材を設け、該取付部材と取付ベースとの間に前面枠のユニット取付部を挟んだ状態で、取付部材と取付ベースを螺合部材で締結するようにしたので、発射ユニットをユニット取付部に取り付ける際に、螺合部材の取付孔への螺合に失敗し、取付孔が破損して発射ユニットをユニット取付部に強固に締結できない状態となっても、着脱可能な取付部材を交換することにより締結可能となり、ユニット取付部を有する前面枠を交換する必要がない。
従って、作業ミスにより前面枠全体を交換するような事態を防止し、作業ミスがあっても取付部材だけを交換すれば良いので、製造上のロスを最小限に留めることができる。
【０００９】
また、発射ユニットの故障等の際に、発射ユニットを取り外した後に、再び発射ユニットを取り付けるような場合も、作業ミスにより前面枠が使用不能となるような事態を防止できる。また、タッピングビスを使用するものとした場合に、同じ取付孔に繰り返しタッピングビスを締結すると締結強度が低下する可能性があるが、取付部材を交換することで、締結強度を維持することができ、ねじ止め部分に上述のような力が作用しても十分に対応することができる。
また、ユニット取付部を取付ベースと取付部材とで挟んだ状態で、取付ベースと取付部材を締結することで、ユニット取付部と取付ベースとが固定されるので、発射ユニットの前面枠への取付状態を安定させ、上述のような力に十分に対応することができる。
【００１０】
また、取付部材は、その係止部がユニット取付部の被係止部に係止することにより着脱自在に取り付けられるだけではなく、取付孔を有する筒状部の前部に形成された鍔状の非回転係合部が、ユニット取付部の回転止め部に回転不能に係合することで、取付部材に螺合部材を螺合する際に、取付部材が回転してしまうのを防止し、容易かつ確実に取付部材に螺合部材を螺合することができる。
また、非回転係合部は、鍔状となっており、筒状部より拡径されている。すなわち、取付部材の筒状部の前部に鍔状に非回転係合部を設けることで、取付部材の取付ベースに接触する前面の面積を筒状部の断面積より大きくすることが可能となり、上述のように取付ベースと取付部材との間にユニット取付部を挟持するようにした際に、取付部材とユニット取付部との接触面積をより大きくして、発射ユニットの前面枠への取付状態を安定させ、前面枠と発射ユニットとのねじ止め部分をより強固な構造とすることができる。
【００１１】
なお、非回転係合部は、取付部材の筒状部の軸回りの回転を規制するためのもので、基本的に非回転係合部の外周部分に回転止め部が係合することで、取付部材の回転が阻止されるようになっている。
従って、鍔状に非回転係合部を形成することで、非回転係合部の径を筒状部の径より大きくした場合に、筒状部の取付孔を有する中心部から非回転係合部の外周までの距離が大きくなり、取付孔に螺合部材を螺合した際に筒状部に中心部にかかる回転力に効率的に対抗して回転を阻止することができる。
【００１２】
また、非回転係合部を円形以外の形状（例えば、６角形等の多角形状）とし、回転止め部を非回転係合部と相補的な形状の凹部（例えば、６角形等の多角形状）とすると、上述のように筒状部の前部を鍔状の非回転係合部として筒状部より径を大きくした場合に、径が大きくなったことにより、非回転係合部の外周面と回転止め部の内周面との接触面積が大きくなり、非回転係合部と回転止め部との間で効率的に力が伝達され、筒状部に中心部にかかる回転力に効率的に対抗して回転を阻止することができる。
【００１３】
請求項２に記載の発明は、請求項１に記載の遊技機において、
前記取付部材の係止部は、
前記筒状部の後端部から側方に突出する突出片と、該突出片の先端から折り返して筒状部の前側に向かって延出する折返片と、を備え、該折返片の先端部の外側に前記ユニット取付部の被係止部と係合する係合片を形成し、
前記筒状部と折返片との間に空部を形成することを特徴としている。
【００１４】
請求項２に記載の発明によれば、筒状部と折返片との間に空部、すなわち、隙間があるので、この空部に治具（例えば、ドライバ等の汎用治具でもよいし、専用の治具でも良い）を挿入し、突出片をユニット取付部から引き離すことで、取付部材をユニット取付部から容易に取り外すことができる。
なお、取付部材の取り外しに際しては、係止部が弾性変形（取り外した取付部材はそのままの状態では再利用されないので塑性変形しても良い）することで、被係止部との係止が解除されるが、先端部に係合片を有する折返片と筒状部との間に空部があるので、係止部は折返片が筒状部側に近付く変形を可能とし、筒状部と反対となる外側にある係合片が被係止部から外れ易く、取付部材の取り外しを容易としている。
【００１５】
請求項３に記載の発明は、請求項２に記載の遊技機において、
前記ユニット取付部の被係止部の背面側には、前記取付部材の折返片の外側に沿って保護壁を立設したことを特徴としている。
請求項３に記載の発明によれば、折返片の先端部に形成された係合片が係止する被係止部が折返片の外側、すなわち、筒状部の反対側にあるので、折返片の外側に手や工具が接触することにより、折返片に外側から力がかかって折返片が筒状部側（内側）に向かって弾性変形することで係合片の被係止部への係止が解除されて取付部材がユニット取付部から脱落する可能性がある。
【００１６】
そこで、折返片の外側に沿って保護壁を立設することにより、折返片の外側に手や工具等が接触するのを防止し、取付部材の脱落を防止することができる。
また、取付部材を締結した状態では、係合片が外れても取付部材が脱落することはないが、例えば、前面枠の背面側で、補給経路から外れた遊技球等が折返片に当り、係合片が外れた状態、すなわち弾性変形したままの状態となり取付部材に余計な負荷がかかるのを防止することができる。
なお、保護壁は折返片の背面に接触しても良いし、離れても良いが、折返片の背面の近傍にあることが好ましい。
【発明の効果】
【００１７】
本発明によれば、前面枠の発射ユニットが取り付けられるユニット取付部の背面に着脱自在に取付部材を取り付け、取付部材と発射ユニットとの間にユニット取付部を挟んだ状態で取付部材と発射ユニットとを締結するので、可動する発射杵や駆動源等による振動等が発生しても前面枠と発射ユニットを安定した状態に強固に接合することができる。
特に、取付部材の前面枠側となる前部に鍔状に拡径された非回転係合部を設けたので、前面枠と非回転係合部との接触面積を大きくして、より強固に発射ユニットを前面枠に固定することができるとともに、締結時に取付部材の回転を確実に阻止することができる。
また、締結する際に、取付部材の螺合部材が螺合される取付孔を破損しても、前面枠に着脱自在な取付部材を交換すれば、前面枠はそのまま使用可能なので、製造上のロスを最小限度にすることができる。
【発明を実施するための最良の形態】
【００１８】
以下、この発明に係る実施形態について、図面を参照しながら説明する。
図１及び図２は、本発明に係る遊技機の一形態として例示するパチンコ遊技機１を示すものであり、図３及び図４は、パチンコ遊技機１の発射ユニット７を示すものであり、図５及び図６は、パチンコ遊技機１の前面枠３を示すものであり、図７及び図８は、パチンコ遊技機１の取付部材３９を示すものである。
図１に示すように、パチンコ遊技機１は、パチンコ遊技機１の外周部を構成するとともに、パチンコ遊技機１が設置される島設備に固定される矩形枠状で木製の機枠２と、機枠２の前面側の左右側部のうちの一側部となる左側部に軸着（蝶着）され、垂直な回動軸により機枠２に対して左右に回動することにより機枠２内側空間を開閉自在な前面枠３と、前面枠３の前面側の左右側部のうちの一側部となる左側部に軸着され、垂直な回動軸により前面枠３（前面枠３を介して機枠２）に対して左右に回動することで、前面枠３の前側空間を開閉可能なガラス枠４と、前面枠３のガラス枠４の下側で、前面枠３の前面側の左右側部のうちの一側部となる左側部に軸着され、垂直な回動軸により前面枠３（前面枠３を介して機枠２）に対して左右に回動することで、前面枠３のガラス枠４より下側の前側空間を開閉可能な開閉パネル５と、前面枠３の開閉パネル５の下側に着脱可能に取り付けられる操作パネル６とを備えるものである。
【００１９】
前記機枠２は、島設備に設置された状態で、上述の前面枠３等を含むパチンコ遊技機１を構成する部材を支持するものである。
前記前面枠３は、合成樹脂製で、図５に示すように、その上から２／３弱程度の部分が遊技盤８を支持する枠状収納部３１とされ、該枠状収納部３１の下側の前面側が後述する発射ユニット７が取り付けられるユニット取付部３２を有するフレームボード３３となっている。なお、前面枠３の詳細については後述する。
そして、前面枠３の枠状収納部３１に、図１に示すように前面を露出した状態で遊技盤８が取り付けられている。
【００２０】
そして、遊技盤８の前面側の遊技領域区画壁８１（ガイドレール）で囲まれた領域が発射ユニット７から発射された遊技球が流下する遊技領域８２となっている。
なお、図１では、図示を省略しているが、遊技盤８の遊技領域８２となる前面には、例えば、遊技球が入賞するとともに、基本的に遊技球が入賞した場合に賞球（遊技球）を払い出す条件を成立させる各種入賞具として、遊技球の入賞を規制する開閉部材（可動部材）を有する電動役物を備えた各種変動入賞装置や、遊技球が入賞した場合に、変動入賞装置の開閉部材の開放動作や後述の変動表示装置における変動表示ゲーム等を始動する始動入賞口や、単に賞球を払い出す条件だけが成立する一般入賞口などを備えている。また、遊技領域８２内の遊技盤８の前面には、遊技球の流下方向を変動させる障害釘や風車と言われる方向変換部材や入賞しなかった遊技球を回収するアウト口等が設けられている。また、パチンコ遊技機１によっては、遊技盤８の遊技領域８２となる前面に、変動表示ゲームを表示する液晶ディスプレイ等を備える前記変動表示装置が設けられるものがある。
【００２１】
前面枠３の枠状収納部３１の前部には、遊技盤８の前面に対して遊技領域８２となる間隔を開けて二重のガラス板４１を保持した略方形状で閉状態の前記ガラス枠４が配置される。そして、遊技盤８前面の遊技領域８２がガラス枠４に保持された二重のガラス板４１を介して遊技者に視認可能にされている。
【００２２】
また、ガラス枠４の下側の開閉パネル５前面には、賞球等として排出された遊技球を貯留するとともに、遊技球を発射する発射ユニット７に遊技球を送る上皿５１を有している。
また、開閉パネル５の下側の操作パネル６には、上皿５１に収容しきれない遊技球を収容する下皿６１及び灰皿６２と、前記遊技領域８２に向けての遊技球の発射操作を行うとともに、該遊技領域８２に遊技球を発射する際の発射勢を調節するための操作ハンドル６３、スピーカ６４などが設けられている。
また、機枠２に対して開閉自在な前面枠３、前面枠３に対して開閉自在なガラス枠４は、図示しないロック機構により閉状態にロックされており、鍵穴５３にキーを差し込んでキーを操作することにより、それぞれロックが解除されて開放状態となる。
また、前面枠３に対して開閉自在な開閉パネル５もロック機構により閉状態にロックされるが、開閉パネル５のロック解除はガラス枠４が開放状態の場合に揺動レバー５４を操作して行うことができる。
【００２３】
また、図２に示すように、遊技盤８の裏面側には、遊技領域８２に変動表示装置が設けられている場合の変動表示装置の表示制御、パチンコ遊技機１が備えるランプ（ＬＥＤ）等の発光部材の点灯・点滅等を行う装飾制御、及び、スピーカ等の出力の音声出力制御等を行う演出制御装置９１と、発射ユニット７にパチンコ遊技機１前面の操作ハンドル６３の操作に基づき遊技球を遊技領域８２に発射させる制御を行うと共に、後述の排出ユニット９５ｄにおける入賞等に基づく遊技球の排出動作の制御を行う排出・発射制御装置９２と、これら各制御装置等を統括制御するとともに、始動入賞や変動表示ゲームの大当り等に基づく変動入賞装置の始動等の遊技に係わる制御を行う遊技制御装置９３と、パチンコ遊技機１の各種ランプ（ＬＥＤ）、駆動源、制御装置等に電力を供給する電源装置９４等とが設けられている。
【００２４】
なお、各制御装置は、制御装置となる基板がボックスに収容された状態となっている。また、演出制御装置９１は、遊技盤８のほぼ中央部の裏面側に突出する変動表示装置や変動入賞装置等の遊技領域８２内で主となる遊技に係わる遊技装置とともにカバー部材９１ａに覆われた状態となっており、このカバー部材９１ａが後述のタンク９５ａから落下した遊技球から演出制御装置９１や遊技装置を保護している。
また、パチンコ遊技機１の裏面側には、前面枠３の裏面側に配置された後述する球排出装置９５等から遊技球の補給等に関する信号をパチンコ遊技機１外部の島設備側の遊技球補給装置等に出力するための端子を備えた枠用外部情報基盤９６と、遊技盤８裏面側に備えられた遊技制御装置９３からの信号をパチンコ遊技機１外部の遊技店の管理装置等に出力するための端子を備えた盤用外部情報基盤９７とが備えられている。
【００２５】
また、パチンコ遊技機１の裏面側には、賞球、貸玉を上皿５１上に排出するための排出経路を備えた球排出装置９５を有する。球排出装置９５は、パチンコ遊技機１が設置される島設備から補給される遊技球を貯留するタンク９５ａと、タンク９５ａに貯留された遊技球を下流側に誘導して流下させる誘導樋９５ｂと、誘導樋９５ｂから流下した遊技球の流路を変換する流路変換ユニット９５ｃと、流路変換ユニット９５ｃから供給される遊技球を排出・発射制御装置９２からの制御信号に基づいた個数だけ上皿５１側に排出する排出ユニット９５ｄと、排出ユニット９５ｄから排出された遊技球を上皿５１に導出する導出流路９５ｅとを備える。
【００２６】
図３に示すように、遊技領域８２に遊技球を発射する発射ユニット７は、発射レール７１と、発射杵７２と、第１及び第２ストッパ７３ａ，７３ｂと、駆動機構７４と、位置決め部材７５と、球送り装置７６と、ハンドル連結部７７と、これらが取り付けられる取付ベース７８とを備える。
発射レール７１は、発射される遊技球を誘導して遊技領域８２内に進入させる導入路に案内するようになっており、下端の発射位置７１ａ（図３の右側）から上り傾斜するように取付ベース７８に取り付けられている。
【００２７】
発射杵７２は、発射レール７１上の発射位置７１ａにある遊技球を弾いて（打って）遊技球を発射するものであり、取付ベース７８の前面側に回転可能に軸受された回転軸７２ｄにより、取付ベースに回転自在に取り付けられている。また、発射杵７２は、基端部を回転軸７２ｄに固定され、回転軸７２ｄからほぼ半径方向に向かって湾曲して延出するアーム部７２ａと、アーム部７２ａの先端部から回転軸７２ｄのほぼ円周方向に沿うように屈曲して突出し、遊技球を打撃する打撃部７２ｂとを有する。なお、打撃部７２ｂには、遊技球の打撃時に遊技球に接触する弾性部材としてコイルスプリング７２ｃが取り付けられている。
【００２８】
第１及び第２ストッパ７３ａ，７３ｂは、ゴムなどの弾性材により形成され、アーム部７２ａが接触することにより発射杵７２の回転動作範囲を規制する。
駆動機構７４は、発射杵７２の駆動源となるものであり、モータ７４ａ（もしくはロータリソレノイド）を備える。なお、この実施例においては、発射杵７２は、駆動機構７４の図示しないバネの付勢力により遊技球を打撃するようになっている。すなわち、前記モータ７４ａは、その回転軸が駆動機構７４の図示しない伝動機構に連結され、発射杵７２を打撃方向と反対方向にバネの付勢力に抗して回転させた状態とした後に、発射杵７２を自由に回転可能な状態とする。そして、伝動機構に対して自由に回転可能となった発射杵７２をバネの付勢力で回転させて遊技球を打撃させる。なお、バネを用いずに、発射杵７２をモータやロータリソレノイドで打撃方向に回転するように駆動して遊技球を打撃するようにしても良い。
【００２９】
位置決め部材７５は、発射レール７１上の発射位置７１ａの上方に配置され、発射位置７１ａにある遊技球の後退を阻止して遊技球を発射位置に位置決めする。なお、発射レール７１と位置決め部材７５との間には、発射杵７２の打撃部７２ｂの通過経路が確保されている。
球送り装置７６は、駆動機構７４に連結されて、駆動機構７４の駆動動作、すなわち、遊技球の発射に基づいて、遊技球の発射直後に開閉パネル５裏面の上皿導出口５２を介して上皿５１から流入する遊技球を１個ずつ発射位置７１ａに送る。
ハンドル連結部７７は、操作パネル６に設けられた操作ハンドル６３の操作パネル６の裏面側に突出する後端部に連結されて操作ハンドル６３と一体に回動可能とされ、操作ハンドル６３の回転角度を変更した場合に、ハンドル連結部７７を介して上述の駆動機構７４のバネの変位状態（伸縮）を変更することができ、これにより発射杵７２の遊技球打撃時のバネの付勢力を調整して遊技球の発射勢を調整可能となっている。
【００３０】
取付ベース７８は、板状の部材で左側部がこの左側部に取り付けられる発射レール７１の傾きに対応して斜辺となった略逆台形状を有する合成樹脂製の板体である。そして、取付ベース７８の前面側は、ほぼ平面状とされ、上述の発射レール７１、発射杵７２、第１及び第２ストッパ７３ａ，７３ｂ、位置決め部材７５、球送り装置７６、ハンドル連結部７７等が設けられている。なお、発射レール７１は、取付ベース７８の左側部に前方に突出して形成されたレール基部７８ａに取り付けられている。
【００３１】
また、図４に示すように、取付ベース７８の裏面側には、駆動機構７４を取り付けるための複数のボス７８ｂ，…が形成されるとともに、発射杵７２の回転軸７２ｄの軸受を取り付ける軸受取付部７８ｃと、ハンドル連結部７７の回転部分を取り付ける回転取付部７８ｄとを備えている。また、取付ベース７８裏面の球送り装置７６に対応する位置には、駆動機構７４と球送り装置７６とを連動する図示しない連動部材が貫通する連動部材貫通孔７８ｅが形成されている。
【００３２】
また、取付ベース７８裏面には、後述するビス１１を貫通させるための貫通穴７９の周辺部を除いて取付ベース７８の外周縁部に沿う部分に補強リブ７８ｆ，…が形成され、かつ、外周縁部の内側で駆動機構７４と緩衝する可能性のある部分を除いた部分に略格子状に補強リブ７８ｆが形成されている。そして、取付ベース７８の平板状の本体部の裏面側で、平板状の本体部から後方に突出する補強リブ７８ｆにより、本体部が補強されている。これにより、上述のように発射に係わる部材が取り付けられて、これら部材の荷重がかかるとともに、発射の衝撃（振動）がかかる合成樹脂製の取付ベース７８を厚くすることなく、取付ベース７８に十分な強度を持たせるようになっている。
【００３３】
また、取付ベース７８には、取付ベース７８を前面枠３に取り付けるためのビス１１，…が貫通する複数の貫通穴７９，…が取付ベース７８の下側縁部の左右２カ所と、上側縁部の左右２カ所と、斜めとなった前から見て左側縁部の上部１カ所との計５カ所に設けられている。すなわち、取付ベース７８の外周縁部には、互いに間隔をあけて、取付ベース７８の中央部を囲むように複数箇所に貫通穴７９が形成されている。
また、取付ベース７８裏面には、貫通穴７９の周囲を囲むとともに、前記補強リブ７８ｆに連続する位置決めリブ７８ｇ，…が形成されている。なお、位置決めリブ７８ｇ，…は、貫通穴７９の周囲を囲むように形成されるが、取付ベース７８の側縁側となる部分には設けられておらず、貫通穴７９の周囲を完全に囲んだ状態とはなっていない。なお、位置決めリブ７８ｇ，…及び補強リブ７８ｆ，…の両方を含むリブが取付ベース７８の外周縁部の全てに設けられるものとしても良いが、この際には、位置決めリブ７８ｇ，…は、ユニット取付部３２に設けられる後述の位置決め部材３６，…の周囲を完全に囲むようになっている必要があり、取付ベース７８の外周縁部も位置決め部材３６，…を完全に覆う形状となっている必要がある。
【００３４】
また、位置決めリブ７８ｇ，…は、補強リブ７８ｆ，…と一体となって取付ベース７８を補強するとともに、位置決めリブ７８ｇ，…と補強リブ７８ｆ，…との後端面が同一平面内に配置される。そして、取付ベース７８を前面枠３前面のユニット取付部３２に取付ベース７８を取り付けた場合に、取付ベース７８の裏面側の位置決めリブ７８ｇ，…の後面と補強リブ７８ｆ，…との後面が両方とも取付ベース７８の前面に面接触するようになっている。
【００３５】
なお、ボス７８ｂ，…や、軸受取付部７８ｃや、回転取付部７８ｄは、位置決めリブ７８ｇ，…及び補強リブ７８ｆ，…より後方に突出しているが、前面枠３に形成された後述する駆動機構用開口部３５と前後に重なって駆動機構用開口部３５から前面枠３の後方側に突出する。
そして、位置決めリブ７８ｇ，…は、前面枠３のユニット取付部３２から前側に膨出する後述の位置決め部材３６，…と係合することにより、ユニット取付部３２に取付ベース７８を取り付ける際に、取付ベース７８を位置決めできるようになっている。また、位置決めリブ７８ｇ，…は、その内側の側面が位置決め部材３６，…の外周面に当接することにより上述の位置決めが可能となる。また、ユニット取付部３２の位置決め部材３６，…の前面と、取付ベース７８の本体部の裏面で、かつ、位置決めリブ７８ｇ，…の内側となるリブ内接合面７８ｈ，…とが面接触する。
従って、位置決めリブ７８ｇ，…は、上述のように位置決めとしての機能を有するとともに、補強リブ７８ｆの一部として取付ベース７８の本体部を補強する機能を有し、かつ、ユニット取付部３２と取付ベース７８との間でこれらの面方向に向かう力が作用した場合に、位置決めリブ７８ｇ，…と、位置決め部材３６との間で前記力が伝達される。
【００３６】
図５及び図６に示すように、前面枠３は、その上部となり、遊技盤８を収納する枠状収納部３１に遊技盤８や球排出装置９５等の取付構造を有する。また、前面枠３は、枠状収納部３１の下のフレームボード３３に発射ユニット７の取付構造となるユニット取付部３２を有するとともに、前記球排出装置９５の導出流路９５ｅの上皿５１に接続される末端側の取付構造や、前記導出流路９５ｅから上皿５１に遊技球を導出した際に、上皿５１がいっぱいとなった場合に、遊技球を下皿６１に導く誘導用の構造等が形成されている。
【００３７】
以上のことからパチンコ遊技機１は、機枠２の一側に蝶着された前面枠３と、発射杵７２を駆動するための駆動源（モータ７４ａを含む駆動機構７４）及び発射レール７１を取付ベース７８に取り付けて形成された発射ユニット７とを備え、前面枠３の下部に設けられたユニット取付部３２に対して前面側から発射ユニット７の取付ベース７８を取り付けて構成されている。
【００３８】
そして、ユニット取付部３２は、発射ユニット７が取り付けられる前面側の前記発射ユニット７の取付ベース７８の補強リブ７８ｆ，…及び位置決めリブ７８ｇ，…の裏面が接触する部分が平坦な平面状とされるとともに、発射ユニット７の取付ベース７８の裏面側に配置される駆動機構７４に対応する部分に、前面側と裏面側とを貫通する駆動機構用開口部３５が設けられている。
そして、ユニット取付部３２には、発射ユニット７を取り付けた際に、取付ベース７８の上述の５カ所（複数箇所）の位置決めリブ７８ｇ，…に対応する位置に位置決め部材３６，…が形成されている。また、位置決め部材３６のほぼ中央には、ユニット取付部３２に取り付けられた取付ベース７８の位置決めリブ７８ｇ，…の内側に形成された貫通穴７９，…と前後に重なる位置に、ビス１１を貫通させる貫通孔３７ａ，…が形成されている。すなわち、発射ユニット７の取付ベース７８は、前記ユニット取付部３２の貫通孔３７ａ，…に対応した貫通穴７９，…が形成されている。
【００３９】
位置決め部材３６，…は、後述する回転止め部３７及び被係止部３８に対応する形状を有し、その前面（少なくとも回転止め部３７に対応する部分）が平面とされ、ユニット取付部３２に発射ユニット７を取り付けた場合に、上述のように取付ベース７８裏面の位置決めリブ７８ｇ，…の内側となるリブ内接合面７８ｈと面接触するようになっている。
また、位置決め部材３６，…の外周面（前面の周囲となる部分）の一部と位置決めリブ７８ｇ，…の内周面とが接触することにより、ユニット取付部３２に対して取付ベース７８、すなわち、発射ユニット７が位置決めされる。
なお、位置決め部材３６，…の外周面が位置決めリブ７８ｇの内周面の全面と接触している必要はないが、一部が面接触していることが好ましい。この例においては、位置決め部材３６，…の形状と、位置決めリブ７８ｇ（リブ内接合面７８ｈ）の形状とが相補的な形状とはなっていないが、相補的な形状となっていても良い。
【００４０】
図６に示すように、前面枠３のユニット取付部３２の裏面側には、後述の取付部材３９が取り付けられる取付部として回転止め部３７及び被係止部３８とを備えている。
回転止め部３７は、図７に示すように、後述の取付部材３９の非回転係合部３９ｃと係合するとともに、非回転係合部３９ｃと相補的な形状を有する円形以外の凹部３７ｄを有し、非回転係合部３９ｃを回転止め部３７に挿入した場合に、取付部材３９の軸回りの回転を阻止する。なお、この例では、非回転係合部３９ｃが６角形状に形成され、それに対応して回転止め部３７の凹部３７ｄが６角形状となっている。
【００４１】
そして、回転止め部３７は、凹部３７ｄの周囲に、ユニット取付部３２の裏面側の周囲に沿って凹部補強リブ３７ｂを有し、凹部補強リブ３７ｂの内周面と凹部３７ｄの内周面とは、その境界部分に段差が無い連続する面とされるとともに、板状のユニット取付部３２の面方向に直交する面となっている。すなわち、回転止め部３７は、凹部３７ｄと凹部補強リブ３７ｂとからなる。
これにより板状のユニット取付部３２の強度を低下させずに凹部３７ｄを実質的に深くするとともに、凹部補強リブ３７ｂにユニット取付部３２を補強させることができる。そして、ユニット取付部３２の取付部材３９の非回転係合部３９ｃの外周面と、回転止め部３７の内周面との接触面積を大きくすることができる。
【００４２】
なお、後述するように取付部材３９にビスを螺合するために取付部材３９に回転力がかかった場合に、非回転係合部３９ｃの外周面と、回転止め部３７の内周面とは、クリアランス等により必ずしも完全に面接触せずに、６角形状の非回転係合部３９ｃの外周の角部が回転止め部３７の内周面に接触することになり、ほぼ線接触（弾性変形することで一部が面接触となる）となる。
ここで、十分な回転阻止力を得る上では、クリアランスを狭くして面接触に近づけることと、回転止め部３７と非回転係合部３９ｃとの接触部分が取付部材３９にかかる回転力の中心からの距離が遠いことと、回転止め部３７が深く、非回転係合部３９ｃが厚いことが好ましい。
【００４３】
また、回転止め部３７においては、互いに対向して一直線上に配置される外周部の２カ所（ここでは、６角形の対向する２辺のそれぞれの中央部に当る回転止め部３７の外周部の２カ所）に、被係止部３８の後述する溝部３８ａに連通する切欠部３７ｃ，３７ｃが形成されており、切欠部３７ｃ，３７ｃにより回転止め部３７（凹部３７ｄ）内部と溝部３８ａ，３８ａとが連通している。なお、切欠部３７ｃ，３７ｃは、その内部が、取付部材３９の後述する２つの係止部３９ｆ、３９ｆが弾性変形した場合に係止部３９ｆ，３９ｆの先端部が入り込むための空間となっている。
【００４４】
被係止部３８は、取付部材３９の係止部３９ｆ，３９ｆに対応して回転止め部３７を挟む２カ所、すなわち、上述の２カ所の切欠部３７ｃ，３７ｃのそれぞれの外側への延長線上に形成された溝部３８ａ，３８ａと、溝部３８ａの外側端部上に形成された保護壁３８ｂ，３８ｂとを有する。
２つの溝部３８ａ，３８ａは、回転止め部３７の中心となる貫通孔３７ａを通る一直線上に配置されるとともに、切欠部３７ｃ，３７ｃと連通している。また、溝部３８ａ，３８ａは、回転止め部３７の凹部３７ｄよりも僅かに深く形成されている。そして、溝部３８ａ，３８ａの外側となる端部上には、溝部３８ａ，３８ａの端部の上部開口部分を塞ぐように保護壁３８ｂ，３８ｂが形成されている。保護壁３８ｂ，３８ｂは、溝部３８ａ，３８ａの幅より広く形成され、左右両側部が溝部３８ａの左右側縁より外側となっている。また、保護壁３８ｂ，３８ｂは、ほぼ板状でユニット取付部３２の裏面に対して直角に形成されている。
また、２つの保護壁３８ｂ，３８ｂは、回転止め部３７を挟んで対向して配置されている。そして、２つの保護壁３８ｂ，３８ｂの先端面（遊技機の前後方向で後面）のうちの互いに対向する側（内側）となる部分が前側に向かうにつれて狭まる斜面３８ｃ，３８ｃとされている。
【００４５】
また、保護壁３８ｂ，３８ｂの底部の溝部３８ａ，３８ａと前後に重なる部分は、保護壁３８ｂ，３８ｂの底面（前面）が溝部３８ａ，３８ａに臨んだ状態となっている。そして、保護壁３８ｂ，３８ｂの溝部３８ａ，３８ａに向かって露出した状態の底面に、取付部材３９の係止部３９ｆ、３９ｆの後述する係合片３９３の後面が面接触して係合するようになっている。
【００４６】
また、保護壁３８ｂ，３８ｂは、ユニット取付部３２に取付部材３９を取り付けた状態で、取付部材３９の係止部３９ｆ，３９ｆの後述する折返片３９２，３９２の外側（背面側）に配置されるようになっており、後述するように係止部３９ｆ，３９ｆの変形を防止して、取付部材３９の脱落を防止するようになっている。
従って、ユニット取付部３２は、取付部材３９の係止部３９ｆ，３９ｆが係止する被係止部３８，３８と、前記非回転係合部３９ｃが係合する回転止め部３７とを備え、該回転止め部３７に、後述の取付部材３９の取付孔３９ｂに対応する貫通孔３７ａを形成している。また、ユニット取付部３２の被係止部３８の背面側には、前記取付部材の折返片の外側に沿って保護壁を立設している。
【００４７】
また、ユニット取付部３２では、回転止め部３７の凹部３７ｄと被係止部３８の溝部３８ａ，３８ａが凹んだ状態となっていることから、そのまま状態では、回転止め部３７の凹部３７ｄでは、板状のユニット取付部３２が薄くなってしまう。しかし、取付部材３９を用いてユニット取付部３２に発射ユニット７の取付ベース７８を取り付けた場合に、回転止め部３７が取付部材３９の非回転係合部３９ｃの前面と、取付ベース７８の位置決めリブ７８ｇ，…の内側のリブ内接合面７８ｈとに挟まれることにより、ユニット取付部３２と取付ベース７８とが接合されることから、ユニット取付部３２において回転止め部３７は、十分な強度を有する必要がある。
【００４８】
そこで、ユニット取付部３２の裏面側の凹部３７ｄ及び溝部３８ａ，３８ａとの反対側となるユニット取付部３２の前面側には、これら凹部３７ｄ及び溝部３８ａ，３８ａの形状に対応して前側に膨出する前記位置決め部材３６が形成されている。これによりユニット取付部３２の回転止め部３７及び位置決め部材３６の位置においては、凹部３７ｄ及び溝部３８ａ，３８ａを設けても十分な強度を有するものとなっている。
【００４９】
すなわち、回転止め部３７及び被係止部３８と前後に重なる位置に設けられる位置決め部材３６は、ユニット取付部３２に対する取付ベース７８の位置決めの機能と、回転止め部３７で凹部３７ｄを設けるとともに被係止部３８で溝部３８ａ，３８ａを設けたことに対する補強としての機能とを有し、さらに、ユニット取付部３２と取付ベース７８との間でこれらの面方向に向かう剪断力が作用した場合に、位置決めリブ７８ｇ，…と、位置決め部材３６との間で前記力が伝達されるようになっている。
なお、位置決め部材３６は、凹部３７ｄ及び溝部３８ａ，３８ａと前後に重なるが、これらより僅かに広い範囲に渡って形成される。
【００５０】
パチンコ遊技機１は、前面枠３のユニット取付部３２と、発射ユニット７の取付ベース７８との接合に用いられ、ユニット取付部３２の背面側に着脱自在に取り付けられる合成樹脂製の取付部材３９，…を備える。
取付部材３９，…は、少なくとも前面側を開口する取付孔３９ｂが形成された筒状部３９ａと、ユニット取付部３２に対して係止される係止部３９ｆ，３９ｆとを備え、該筒状部３９ａの前部に、前記ユニット取付部３２に対して回転不能に係合する鍔状の非回転係合部３９ｃを形成している。
【００５１】
筒状部３９ａは、円筒状に形成され、その中央部に軸方向に沿って螺合部材としてのビス１１，…が螺合する取付孔３９ｂが形成されている。なお、ビス１１，…としては、タッピングビスが用いられるので、取付孔３９ｂの内周面は、ねじ立てされていない状態となっている。
また、取付部材３９をユニット取付部３２の回転止め部３７及び被係止部３８の位置に取り付けた際に、ユニット取付部３２の貫通孔３７ａ，…と、取付孔３９ｂとが前後に重なるようになっている。また、上述のようにユニット取付部３２の貫通孔３７ａ，…と、取付ベース７８の貫通穴７９とが前後に重なるので、取付ベース７８の貫通穴７９からユニット取付部３２の貫通孔３７ａ，３７ａを介して取付部材３９の取付孔３９ｂにビス１１，…を挿通可能となっている。
そして、前面枠３のユニット取付部３２を間に挟んだ状態で、前記発射ユニット７の取付ベース７８と前記取付部材３９とを前記取付孔３９ｂに螺合する螺合部材（ビス１１，…）で締結することにより、ユニット取付部３２に取付ベース７８を固定できるようになっている。
【００５２】
筒状部３９ａの前部には、前記回転止め部３７内に挿入されて係合する非回転係合部３９ｃが形成されている。非回転係合部３９ｃは、回転止め部３７に対応して６角形の板状に形成されるが、筒状部３９ａより径が大きくされ、筒状部３９ａに対して鍔状（フランジ状）に形成される。すなわち、非回転係合部３９ｃは、筒状部３９ａの先端部を拡径した状態に形成されている。また、非回転係合部３９ｃは、係合相手となる回転止め部３７の凹部３７ｄと凹部補強リブ３７ｂとを合わせた深さとほぼ同じ厚みとされる。
非回転係合部３９ｃは、回転止め部３７の内周と同様に６角形状に形成され、かつ、回転止め部３７の内径と非回転係合部３９ｃの外形との間には僅かなクリアランスしかない状態となっている。
【００５３】
そして、非回転係合部３９ｃの前面と側面との角部は前面の全周に渡って面取りされた状態となっており、非回転係合部３９ｃの前面の径がその後側より僅かに狭くされ、上述のように僅かなクリアランスしかない回転止め部３７内に非回転係合部３９ｃを容易に挿入できるようになっている。
【００５４】
また、非回転係合部３９ｃの前面は、ユニット取付部３２に取り付けられた状態で回転止め部３７の凹部３７ｄの底面に面接触することになるが、筒状部３９ａの断面より面積が広くされており、非回転係合部３９ｃを鍔状とせずに、筒状部３９ａとほぼ同径とした場合に比較して、ユニット取付部３２と広い面積に渡って接触することができる。
また、上述のように非回転係合部３９ｃの径を筒状部３９ａより広くしたことで、非回転係合部３９ｃの外周面と回転止め部３７の内周面との接触位置が取付部材３９の中心から遠くなることになり、取付部材３９の回転を確実に阻止することができる。
【００５５】
筒状部３９ａは、その外周部分において、６角形状の非回転係合部３９ｃの対向する２つの頂点に対応する位置にそれぞれ前後方向に渡って第１筒補強リブ３９ｄ，３９ｄが形成されている。第１筒補強リブ３９ｄ，３９ｄは、筒状部３９ａの前縁から後縁に渡って形成され、前端が非回転係合部３９ｃの背面に接合された状態となっている。
【００５６】
また、第１筒補強リブ３９ｄ，３９ｄは、非回転係合部３９ｃの上述の頂点となる角部に対応して外側が三角屋根状となっているとともに、非回転係合部３９ｃの前記角部の外周面と第１筒補強リブ３９ｄ，３９ｄの外側の面とが連続する面となるように形成されている。従って、第１筒補強リブ３９ｄ，３９ｄは、非回転係合部３９ｃより外側に突出していない。
【００５７】
また、筒状部３９ａの外周部分には、上述の６角形状の非回転係合部３９ｃの対向する２つの頂点を結ぶ線分と平行となり、かつ、互いに対向する２つの辺の中央部となる位置に対応してそれぞれ第２筒補強リブ３９ｅ，３９ｅが形成されている。第２補強リブ３９ｅ，３９ｅは、第１筒補強リブ３９ｄ，３９ｄと同様に、筒状部３９ａの前縁から後縁に渡って形成され、前端が非回転係合部３９ｃの背面に接合された状態となっている。また、非回転係合部３９ｃの外周面と第２筒補強リブ３９ｅ，３９ｅの外側の面とが連続する面となるように形成されている。従って、第２筒補強リブ３９ｅ，３９ｅも、非回転係合部３９ｃより外側に突出していない。なお、２つの第１補強リブ３９ｄ，３９ｄを結ぶ線分と、２つの第２補強リブ３９ｅ，３９ｅとを結ぶ線分とは直交し、第１補強リブ３９ｄ，３９ｄと、第２補強リブ３９ｅ，３９ｅとを合わせたリブは、筒状部３９ａの外周に等角度毎に配置されている。
【００５８】
取付部材３９の係止部３９ｆ，３９ｆは、筒状部３９ａの後端部から側方に突出する突出片３９１と、該突出片３９１の先端から折り返して筒状部３９ａの前側に向かって延出する折返片３９２とを備え、該折返片３９２の先端部の外側にユニット取付部３２の被係止部３８と係合する係合片３９３を形成し、筒状部３９ａと折返片３９２との間に空部３９ｉを形成するようになっている。
【００５９】
２つの突出片３９１，３９１は、筒状部３９ａの後端部の２つの第２補強リブ３９ｅ，３９ｅの位置からそれぞれ左右に延出していおり、突出片３９１，３９１と第２補強リブ３９ｅ，３９ｅとが一体となった形状を有する。また、突出片３９１，３９１と第２補強リブ３９ｅ，３９ｅとは、ほぼ同一の断面形状を有する。また、突出片３９１，３９１の先端部は、第２補強リブ３９ｅ，３９ｅの外面より第２補強リブ３９ｅの厚みの３倍程度離れた位置となっている。
【００６０】
折返片３９２，３９２は、突出片３９１，３９１の先端部から筒状部３９ａ（第２補強リブ３９ｅ）の折返し方向、すなわち、これらと平行で前側に向かう方に延出して形成されている。また、折返片３９２，３９２は、その先端部が非回転係合部３９ｃの前面と同じか僅かに後方になるように、前側に延出している。また、折返片３９２，３９２は、第２補強リブ３９ｅ，３９ｅ及び突出片３９１，３９１と略同様の断面形状を有する。
【００６１】
そして、折返片３９２，３９２の先端部には、外側に向かって突出するように係合片３９３，３９３が設けられている。
また、折返片３９２，３９２と筒状部３９ａの第２補強リブ３９ｅ，３９ｅとの間には、折返片３９２，３９２から突出する係合片３９３，３９３の突出長さ以上の間隔があけられ、これが前記空部３９ｉ，３９ｉとされている。
また、２つの折返片３９２，３９２の外面同士の間隔は、前記被係止部３８の２つの保護壁３８ｂ，３８ｂの内面同士の間隔と略同じとされている。
【００６２】
また、折返片３９２，３９２の先端となる係合片３９３，３９３の外側面は、前方に進むにつれて取付部材３９の中心側に向かう斜面３９ｊ，３９ｊとなっている。
従って、取付部材３９をユニット取付部３２の回転止め部３７及び被係止部３８，３８の位置に取り付ける際に、後述するように、保護壁３８ｂ，３８ｂの後面となる斜面３８ｃ，３８ｃに係止部３９ｆ，３９ｆの折返片３９２，３９２の先端面（係合片３９３，３９３の前面）となる斜面３９ｊ，３９ｊを接触させることになるが、この状態で、取付部材３９をユニット取付部３２に向かって押しつけると、保護壁３８ｂ，３８ｂの後面の斜面３８ｃ，３８ｃに折返片３９２，３９２の斜面３９ｊ，３９ｊが案内され、折返片３９２，３９２の先端部が取付部材３９の筒状部３９ａ（第２補強リブ３９ｅ，３９ｅ）に近づけられるように、係止部３９ｆ，３９ｆが弾性変形する。この際に、空部３９ｉ，３９ｉとなる第２補強リブ３９ｅ，３９ｅと、折返片３９２，３９２との間隔が折返片３９２，３９２からの係合片３９３，３９３の突出長さより広いので、係合片３９３，３９３が保護壁３８ｂ，３８ｂの内側に入るまで、係止部３９ｆ，３９ｆが弾性変形可能となっている。
【００６３】
これにより、係合片３９３，３９３の先端部（外側端部）が２つの保護壁３８ｂ，３８ｂの内側に入り、取付部材３９を前方に移動可能となる。そして、取付部材３９をさらに前方に移動すると、取付部材３９の先端部の非回転係合部３９ｃが回転止め部３７の凹部３７ｄ内に挿入される。この際に、２つの係止部３９ｆ，３９ｆ（係合片３９３，３９３）の位置を２つの保護壁３８ｂ，３８ｂの位置に合わせておくことにより、６角形の非回転係合部３９ｃの角度と、６角形の回転止め部３７の角度とが対応するとともに、非回転係合部３９ｃの中心と回転止め部３７の中心とがほぼ前後に重なるので、容易に非回転係合部３９ｃを回転止め部３７内に挿入することができる。
【００６４】
また、この際には、係合片３９３，３９３が被係止部３８の溝部３８ａ，３８ａに入り、係合片３９３，３９３の後面が保護壁３８ｂ，３８ｂの溝部３８ａ，３８ａ内に臨む底面（前面）より前になって、保護壁３８ｂ，３８ｂによる規制が解除された状態となり、係止部３９ｆ，３９ｆが弾性復帰し、係合片３９３，３９３が外側に拡がる。これにより、係合片３９３，３９３が溝部３８ａ，３８ａ内で保護壁３８ｂ，３８ｂの前側に回り込んだ状態となり、係合片３９３，３９３の後面と保護壁３８ｂ，３８ｂの前面とが係合し、取付部材３９をユニット取付部３２に係止した状態となる。
【００６５】
また、この状態では、係止部３９ｆ，３９ｆの折返片３９２，３９２の外面側に近接もしくは接触した状態で保護壁３８ｂ，３８ｂが配置された状態となり、折返片３９２，３９２に筒状部３９ａ（第２補強リブ３９ｅ，３９ｅ）側に弾性変形するような力がかかるのを防止するようになっている。
一方、ユニット取付部３２に取り付けられた取付部材３９を取り外す際には、前記空部３９ｉ，３９ｉのうちの少なくとも１つに、空部３９ｉ，３９ｉとなる第２補強リブ３９ｅ，３９ｅと折返片３９２，３９２との間隔より細い治具（例えば、マイナスドライバ先端部）をユニット取付部３２の裏面に対して斜めとなるように挿入し、治具の先端部をユニット取付部３２裏面に押しつけた状態で、治具をユニット取付部３２に対して直角となる方向に引き上げる。これにより、空部３９ｉ，３９ｉに挿入された治具が突出片３９１，３９１の前側に接触するとともに、突出片３９１，３９１を後方に引き上げることになる。
【００６６】
この際に、溝部３８ａ，３８ａ内で、保護壁３８ｂ，３８ｂの前面に当接している係合片３９３，３９３は、その折返片３９２，３９２に接続された内側となる端部側が後方に引張られることにより、内側の端部側が外側の端部側より後方となるように斜めに弾性変形することになる。この際に、保護壁３８ｂ，３８ｂ前面の内側角部が係合片３９３，３９３の上述のように斜めとなった後面に接触した状態となり、係合片３９３，３９３を内側に押しつける力が作用し、折返片３９２，３９２の前端部を内側に弾性変形させる。
これにより、係合片３９３，３９３が保護壁３８ｂ，３８ｂより内側に入り込んで係合片３９３，３９３と保護壁３８ｂ，３８ｂとの係止が解除され、取付部材３９を後方に移動させて取り外すことができる。
すなわち、基本的に空部３９ｉ，３９ｉに治具を挿入して後方に引張るだけで、ユニット取付部３２から取付部材３９を簡単に取り外すことができる。
【００６７】
以上のようなパチンコ遊技機１の製造における前面枠３の発射ユニット７の取付方法を説明する。まず、上述のように、前面枠３のユニット取付部３２の裏面側の各貫通孔３７ａ，…の位置に、取付部材３９，…を取り付ける。この場合には、取付部材３９，…の係止部３９ｆ，３９ｆの位置を保護壁３８ｂ，３８ｂの位置に合わせてユニット取付部３２に押しつけるだけで上述のように簡単に取付部材３９，…を取り付けることができる。
次ぎに、ユニット取付部３２の前面側に発射ユニット７を配置する。この際には、前面側に膨出する位置決め部材３６，…と、発射ユニット７の取付ベース７８の位置決めリブ７８ｇ，…とを係合することで、ユニット取付部３２に対して容易に発射ユニット７を位置決めできる。また、位置決めされた状態で、取付ベース７８の貫通穴７９，…と、ユニット取付部３２の貫通孔３７ａ，…と、取付部材３９の取付孔３９ｂとが前後に重なった状態となる。
【００６８】
この状態で、取付ベース７８の貫通穴７９，…側からビス１１，…を挿通し、ユニット取付部３２の貫通孔３７ａ，…を介して取付孔３９ｂにビス１１，…の先端部が挿入されるようにする。次ぎに、ドライバを用いてビス１１，…を取付孔３９ｂに螺合させることで、ユニット取付部３２を間に挟んだ状態で、ビス１１，…により、取付ベース７８と取付部材３９とを締結することができる。なお、この際には、取付部材３９がユニット取付部３２に係止されるとともに、回転止め部３７に非回転係合部３９ｃが係合することで、取付部材３９が軸回りに回転してしまうのを阻止し、容易にビス１１，…を螺合することができる。
この際に、作業ミスで取付部材３９の取付孔３９ｂを破損して、上述のような締結が不可能もしくは十分な締結強度が得られなくなった場合には、ビス１１，…を取り除くとともに、取付部材３９をユニット取付部３２から上述のように取り外し、未使用の取付部材３９を再び取り付ける。
【００６９】
これにより、従来のように前面枠３のビス孔を損傷させることにより、前面枠３を使用不能な状態としてしまうことがなく、製造上のロスを最小限にできる。また、取付部材３９は、係止部３９ｆ，３９ｆを弾性変形させることで容易に取り外し可能であるが、被係止部３８，３８の保護壁３８ｂ，３８ｂにより、係止部３９ｆ，３９ｆを係止の解除方向への弾性変形させるような不用意な接触が阻止され、パチンコ遊技機１の製造作業中等に取付部材３９，…が脱落するのを防止することができ、作業性を向上することができる。
【００７０】
また、組み上げられたパチンコ遊技機１において、遊技を行うと、遊技球が短い間隔で多数発射されることになり主に前面枠３の面方向に沿った力が遊技球の発射毎に断続的に発射ユニット７に作用することになる。
この際には、ユニット取付部３２、取付ベース７８及び取付部材３９においては、ビス１１，…による締結部に剪断力が集中することになる。
【００７１】
それに対して、ユニット取付部３２を取付ベース７８と取付部材３９とで挟んだ状態で、取付ベース７８と取付部材３９を締結しているので、取付ベース７８の上述のリブ内接合面７８ｈ，…と、ユニット取付部３２の位置決め部材３６，…の前面との面接触部分の摩擦力と、ユニット取付部３２の回転止め部３７，…の凹部３７ｄ，…の底面と、取付部材３９の非回転係合部３９ｃの前面との摩擦力が対向することになる。さらに、取付部材３９の非回転係合部３９ｃを鍔状としたことにより、筒状部３９ａの前面を接触した場合よりも面接触部分の面積を大きくすることで、締結部分において十分な摩擦力を得ることができる。
【００７２】
また、取付ベース７８の位置決めリブ７８ｇ，…の内周面とユニット取付部３２の位置決め部材３６の外周面との接触、ユニット取付部３２の回転止め部３７の内周面と、取付部材３９の非回転係合部３９ｃの外周面との接触により、上述の面方向に沿った力をユニット取付部３２、取付ベース７８及び取付部材３９で効率的に伝達し、力を分散して強度の向上を図ることができる。従って、ユニット取付部３２、取付ベース７８及び取付部材３９を全て合成樹脂製としても、遊技球の発射に基づく力が集中するビス１１，…まわりに十分な強度を確保することができる。
【００７３】
以上のようなパチンコ遊技機１は、機枠２の一側に蝶着された前面枠３と、発射杵７２を駆動するための駆動源（駆動機構７４）及び発射レール７１を取付ベース７８に取り付けて形成された発射ユニット７とを備え、前面枠３の下部に設けられたユニット取付部３２に対して前面側から発射ユニット７の取付ベース７８を取り付けて構成され、ユニット取付部３２の背面側に着脱自在に取り付けられる取付部材３９を備え、取付部材３９は、ユニット取付部３２に対して係止される係止部３９ｆと、少なくとも前面側を開口する取付孔３９ｂが形成された筒状部３９ａとを備え、該筒状部３９ａの前部に、ユニット取付部３２に対して回転不能に係合する鍔状の非回転係合部３９ｃを形成し、ユニット取付部３２は、取付部材３９の係止部３９ｆが係止する被係止部３８と、非回転係合部３９ｃが係合する回転止め部３７とを備え、該回転止め部３７に、取付孔３９ｂに対応する貫通孔３７ａを形成し、発射ユニット７の取付ベース７８に、ユニット取付部３２の貫通孔３７ａに対応した貫通穴７９を形成し、前面枠３のユニット取付部３２を間に挟んだ状態で、発射ユニット７の取付ベース７８と取付部材３９とを取付孔３９ｂに螺合する螺合部材（ビス１１，…）で締結している。
【００７４】
従って、ユニット取付部３２の背面側に着脱自在に取り付けられ、かつ、前面枠３に発射ユニット７の取付ベース７８を締結するためのビス１１，…が螺合する取付孔３９ｂを有する取付部材３９，…を設け、取付部材３９，…と取付ベース７８との間に前面枠３のユニット取付部３２を挟んだ状態で、取付部材３９と取付ベース７８をビス１１，…で締結するようにしたので、発射ユニット７をユニット取付部３２に取り付ける際に、ビス１１，…の取付孔３９ｂへの螺合に失敗し、取付孔３９ｂが破損して発射ユニット７をユニット取付部３２に強固に締結できない状態となっても、着脱可能な取付部材３９を交換することにより締結可能となり、ユニット取付部３２を有する前面枠３を交換する必要がない。
従って、作業ミスにより前面枠３全体を交換するような事態を防止し、作業ミスがあっても取付部材３９だけを交換すれば良いので、製造上のロスを最小限に留めることができる。
【００７５】
また、発射ユニット７の故障等の際に、発射ユニット７を取り外した後に、再び発射ユニット７を取り付けるような場合も、作業ミスにより前面枠３が使用不能となるような事態を防止できる。また、タッピングビスを使用するものとした場合に、同じ取付孔３９ｂに繰り返しタッピングビスを締結すると締結強度が低下する可能性があるが、取付部材３９を交換することで、締結強度を維持することができ、ねじ止め部分に遊技球の発射に基づく力が作用しても十分に対応することができる。
また、ユニット取付部３２を取付ベース７８と取付部材３９とで挟んだ状態で、取付ベース７８と取付部材３９を締結することで、ユニット取付部３２と取付ベース７８とが固定されるので、発射ユニット７の前面枠３への取付状態を安定させ、上述のような力に十分に対応することができる。
【００７６】
また、取付部材３９は、その係止部３９ｆ，３９ｆがユニット取付部３２の被係止部３８，３８に係止することにより着脱自在に取り付けられるだけではなく、取付孔３９ｂを有する筒状部３９ａの前部に形成された鍔状の非回転係合部３９ｃが、ユニット取付部３２の回転止め部３７に回転不能に係合することで、取付部材３９，…にビス１１，…を螺合する際に、取付部材３９が回転してしまうのを防止し、容易かつ確実に取付部材３９にビス１１，…を螺合することができる。
また、非回転係合部３９ｃは、鍔状となっており、筒状部３９ａより拡径されている。すなわち、取付部材３９の筒状部３９ａの前部に鍔状に非回転係合部３９ｃを設けることで、取付部材３９の取付ベース７８に接触する前面の面積を筒状部３９ａの断面積より大きくすることが可能となり、上述のように取付ベース７８と取付部材３９との間にユニット取付部３２を挟持するようにした際に、取付部材３９とユニット取付部３２との接触面積をより大きくして、発射ユニット７の前面枠３への取付状態を安定させ、前面枠３と発射ユニット７とのねじ止め部分をより強固な構造とすることができる。
【００７７】
また、前記取付部材３９の係止部３９ｆ，３９ｆは、筒状部３９ａの後端部から側方に突出する突出片３９１，３９１と、該突出片３９１，３９１の先端から折り返して筒状部３９ａの前側に向かって延出する折返片３９２，３９２とを備え、該折返片３９２，３９２の先端部の外側に前記ユニット取付部３２の被係止部３８，３８と係合する係合片３９３，３９３を形成し、筒状部３９ａと折返片３９２，３９２との間に空部３９ｉ，３９ｉを形成している。
【００７８】
従って、筒状部３９ａと折返片３９２，３９２との間に空部３９ｉ，３９ｉ、すなわち、隙間があるので、この空部３９ｉ，３９ｉに治具を挿入し、突出片３９１，３９１をユニット取付部３２から引き離すことで、取付部材３９をユニット取付部３２から容易に取り外すことができる。
【００７９】
前記ユニット取付部３２の被係止部３８，３８は、取付部材３９の折返片３９２，３９２より外側に位置し、折返片３９２，３９２の背面に沿って立設された保護壁３８ｂ，３８ｂを有している。
従って、折返片３９２，３９２の外側に沿って保護壁３８ｂ，３８ｂを立設することにより、折返片３９２，３９２の外側に手や工具等が接触するのを防止し、取付部材３９の脱落を防止することができる。
なお、本発明はこの実施の形態のパチンコ遊技機に限られるものではなく、その他のパチンコ遊技機、アレンジボール遊技機、雀球遊技機などの弾球遊技機にも適用可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８０】
【図１】本発明の実施形態のガラス枠を開放した状態のパチンコ遊技機を示す斜視図である。
【図２】前記パチンコ遊技機を示す背面図である。
【図３】前記パチンコ遊技機の発射ユニットを示す斜視図である。
【図４】前記発射ユニットの取付ベースを示す背面側の斜視図である。
【図５】前記発射ユニットが取り付けられるパチンコ遊技機の前面枠を示す斜視図である。
【図６】前記前面枠のユニット取付部を示す背面側の斜視図である。
【図７】前記ユニット取付部の回転止め部及び被係止部と、取付部材を示す斜視図である。
【図８】前記取付部材を示す斜視図である。
【符号の説明】
【００８１】
１          パチンコ遊技機（遊技機）
１１        ビス（螺合部材）
２          機枠
３          前面枠
３２        ユニット取付部
３７        回転止め部
３７ａ      貫通孔
３８        被係止部
３８ｂ      保護壁
３９        取付部材
３９ａ      筒状部
３９ｂ      取付孔
３９ｃ      非回転係合部
３９ｆ      係止部
３９ｉ      空部
３９１      突出片
３９２      折返片
３９３      係合片
７          発射ユニット
７１        発射レール
７２        発射杵
７４        駆動機構（駆動源）
７４ａ      モータ（駆動源）
７８        取付ベース
７９        貫通穴
【図１】
2005261640.tif 000003
【図２】
2005261640.tif 000004
【図３】
2005261640.tif 000005
【図４】
2005261640.tif 000006
【図５】
2005261640.tif 000007
【図６】
2005261640.tif 000008
【図７】
2005261640.tif 000009
【図８】
2005261640.tif 000010